【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
光透過窓を有する液体トナー貯留部と、
前記液体トナー貯留部に配されるとともに、一方の軸端側で駆動伝達部と接続し、他方の軸端側に反射部を有するローラと、
前記反射部からの光を検出する反射フォトセンサと、
前記反射フォトセンサの信号により液体トナー濃度を検出する濃度検出手段と、
を有することを特徴とする液体トナー濃度検出装置。
【請求項２】
前記液体トナー貯留部の内面曲率と、前記ローラの曲率とを異ならせるとともに、前記液体トナー貯留部と前記ローラ上の前記反射部の近接部に前記光透過窓を配する請求項１に記載の液体トナー濃度検出装置。
【請求項３】
光透過窓を有する液体トナー貯留部と、
前記液体トナー貯留部に配されるとともに、一方の軸端側で駆動伝達部と接続し、他方の軸端側に反射部を有するアニロックスローラと、
前記アニロックスローラと当接する現像ローラと、
前記反射部からの光を検出する反射フォトセンサと、
前記反射フォトセンサの信号により液体トナー濃度を検出する濃度検出手段と、
を有することを特徴とする液体現像装置。
【請求項４】
感光体と、
光透過窓を有する液体トナー貯留部と、前記液体トナー貯留部に配されるとともに、一方の軸端側で駆動伝達部と接続し、他方の軸端側に反射部を有するアニロックスローラと、
前記アニロックスローラと当接する現像ローラと、前記反射部からの光を検出する反射フォトセンサと、前記反射フォトセンサの信号により液体トナー濃度を検出する濃度検出手段と、を有する液体現像装置と、
コンクトナーを貯留するコンクトナー貯留部と、
キャリア液を貯留するキャリア貯留部と、
を有することを特徴とする画像形成装置。
【請求項５】
感光体と、
光透過窓を有する液体トナー貯留部と、前記液体トナー貯留部に配されるとともに、一方の軸端側で駆動伝達部と接続し、他方の軸端側に反射部を有するアニロックスローラと、
前記アニロックスローラと当接する現像ローラと、前記反射部からの光を検出する反射フォトセンサと、前記反射フォトセンサの信号により液体トナー濃度を検出する濃度検出手段と、を有する液体現像装置と、
コンクトナーを貯留するコンクトナー貯留部と、
キャリア液を貯留するキャリア貯留部と、
を有する画像形成装置に用いられる液体トナー濃度の制御方法であって、
前記反射フォトセンサにより得られた信号を所定時間サンプリングするサンプリング工程、
前記サンプリング工程で得られた値が予め定められた値を超えた回数をカウントするカウント工程と、
前記カウント工程でカウントされた回数と所定の回数とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、
を有する液体トナー濃度の制御方法。
【請求項６】
感光体と、
光透過窓を有する液体トナー貯留部と、前記液体トナー貯留部に配されるとともに、一方の軸端側で駆動伝達部と接続し、他方の軸端側に反射部を有するアニロックスローラと、
前記アニロックスローラと当接する現像ローラと、前記反射部からの光を検出する反射フォトセンサと、前記反射フォトセンサの信号により液体トナー濃度を検出する濃度検出手段と、を有する液体現像装置と、
コンクトナーを貯留するコンクトナー貯留部と、
キャリア液を貯留するキャリア貯留部と、
を有する画像形成装置に用いられる液体トナー濃度の制御方法であって、
前記反射フォトセンサにより得られた信号を所定時間間隔でサンプリングするサンプリング工程、
前記サンプリング工程で得られた値を平均化する平均化工程と、
前記平均化工程で得られた値と予め定められた値とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、
を有する液体トナー濃度の制御方法。
【請求項７】
感光体と、
光透過窓を有する液体トナー貯留部と、前記液体トナー貯留部に配されるとともに、一方の軸端側で駆動伝達部と接続し、他方の軸端側に反射部を有するアニロックスローラと、
前記アニロックスローラと当接する現像ローラと、前記反射部からの光を検出する反射フォトセンサと、前記反射フォトセンサの信号により液体トナー濃度を検出する濃度検出手段と、を有する液体現像装置と、
コンクトナーを貯留するコンクトナー貯留部と、
キャリア液を貯留するキャリア貯留部と、
を有する画像形成装置に用いられる液体トナー濃度の制御方法であって、
前記反射フォトセンサにより得られた信号を予め定められた値との差分を計算する計算工程と、
前記計算工程で得られた差分値を所定時間積分する積分工程と、
前記積分工程で得られた値と予め定められた値とを比較する比較工程と、
前記比較工程の結果により、前記貯留部へコンクトナー貯蔵部に貯蔵された液体キャリアもしくは前記キャリア液貯蔵部に貯蔵されたキャリア液を供給する液体濃度調整工程と、
を有する液体トナー濃度の制御方法。
【手続補正２】
【補正対象書類名】明細書
【補正対象項目名】発明の名称
【補正方法】変更
【補正の内容】
【発明の名称】液体トナー濃度検出装置、液体現像装置、画像形成装置及び液体トナー濃度の制御方法
【手続補正３】
【補正対象書類名】明細書
【補正対象項目名】０００１
【補正方法】変更
【補正の内容】
【０００１】
本発明は、感光層に静電潜像が形成された感光体の現像処理に用いられる液体トナーのトナー粒子の濃度を検出する液体トナー濃度検出装置、液体現像装置、画像形成装置及び液体トナー濃度の制御方法に関する。
【手続補正４】
【補正対象書類名】明細書
【補正対象項目名】０００９
【補正方法】変更
【補正の内容】
【０００９】
本第１発明は、前記課題を解決するために、液体トナー濃度検出装置において、光透過窓を有する液体トナー貯留部と、前記液体トナー貯留部に配されるとともに、一方の軸端側で駆動伝達部と接続し、他方の軸端側に反射部を有するローラと、前記反射部からの光を検出する反射フォトセンサと、前記反射フォトセンサの信号により液体トナー濃度を検出する濃度検出手段と、を有することを特徴とする。
【手続補正５】
【補正対象書類名】明細書
【補正対象項目名】００１０
【補正方法】変更
【補正の内容】
【００１０】
本第２発明は、本第１発明の液体トナー濃度検出装置において、前記液体トナー貯留部の内面曲率と、前記ローラの曲率とを異ならせるとともに、前記液体トナー貯留部と前記ローラ上の前記反射部の近接部に前記光透過窓を配するものである。
【手続補正６】
【補正対象書類名】明細書
【補正対象項目名】００１１
【補正方法】変更
【補正の内容】
【００１１】
本第３発明は、液体現像装置において、光透過窓を有する液体トナー貯留部と、前記液体トナー貯留部に配されるとともに、一方の軸端側で駆動伝達部と接続し、他方の軸端側に反射部を有するアニロックスローラと、前記アニロックスローラと当接する現像ローラと、前記反射部からの光を検出する反射フォトセンサと、前記反射フォトセンサの信号により液体トナー濃度を検出する濃度検出手段と、を有することを特徴とする。
【手続補正７】
【補正対象書類名】明細書
【補正対象項目名】００１２
【補正方法】変更
【補正の内容】
【００１２】
本第４発明は、画像形成装置において、感光体と、光透過窓を有する液体トナー貯留部と、前記液体トナー貯留部に配されるとともに、一方の軸端側で駆動伝達部と接続し、他方の軸端側に反射部を有するアニロックスローラと、前記アニロックスローラと当接する現像ローラと、前記反射部からの光を検出する反射フォトセンサと、前記反射フォトセンサの信号により液体トナー濃度を検出する濃度検出手段と、を有する液体現像装置と、コンクトナーを貯留するコンクトナー貯留部と、キャリア液を貯留するキャリア貯留部と、
を有することを特徴とする。
【手続補正８】
【補正対象書類名】明細書
【補正対象項目名】００１３
【補正方法】変更
【補正の内容】
【００１３】
本第５発明は、液体トナー濃度の制御方法において、感光体と、光透過窓を有する液体トナー貯留部と、前記液体トナー貯留部に配されるとともに、一方の軸端側で駆動伝達部と接続し、他方の軸端側に反射部を有するアニロックスローラと、前記アニロックスローラと当接する現像ローラと、前記反射部からの光を検出する反射フォトセンサと、前記反射フォトセンサの信号により液体トナー濃度を検出する濃度検出手段と、を有する液体現像装置と、コンクトナーを貯留するコンクトナー貯留部と、キャリア液を貯留するキャリア貯留部と、を有する画像形成装置に用いられる液体トナー濃度の制御方法であって、前記反射フォトセンサにより得られた信号を所定時間サンプリングするサンプリング工程、
前記サンプリング工程で得られた値が予め定められた値を超えた回数をカウントするカウント工程と、前記カウント工程でカウントされた回数と所定の回数とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものである。
【手続補正９】
【補正対象書類名】明細書
【補正対象項目名】００１４
【補正方法】変更
【補正の内容】
【００１４】
本第６発明は、液体トナー濃度の制御方法において、感光体と、光透過窓を有する液体トナー貯留部と、前記液体トナー貯留部に配されるとともに、一方の軸端側で駆動伝達部と接続し、他方の軸端側に反射部を有するアニロックスローラと、前記アニロックスローラと当接する現像ローラと、前記反射部からの光を検出する反射フォトセンサと、前記反射フォトセンサの信号により液体トナー濃度を検出する濃度検出手段と、を有する液体現像装置と、コンクトナーを貯留するコンクトナー貯留部と、キャリア液を貯留するキャリア貯留部と、を有する画像形成装置に用いられる液体トナー濃度の制御方法であって、
前記反射フォトセンサにより得られた信号を所定時間間隔でサンプリングするサンプリング工程、前記サンプリング工程で得られた値を平均化する平均化工程と、前記平均化工程で得られた値と予め定められた値とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものであり、本第７発明は、液体トナー濃度の制御方法において、感光体と、光透過窓を有する液体トナー貯留部と、前記液体トナー貯留部に配されるとともに、一方の軸端側で駆動伝達部と接続し、他方の軸端側に反射部を有するアニロックスローラと、前記アニロックスローラと当接する現像ローラと、前記反射部からの光を検出する反射フォトセンサと、前記反射フォトセンサの信号により液体トナー濃度を検出する濃度検出手段と、を有する液体現像装置と、コンクトナーを貯留するコンクトナー貯留部と、キャリア液を貯留するキャリア貯留部と、を有する画像形成装置に用いられる液体トナー濃度の制御方法であって、前記反射フォトセンサにより得られた信号を予め定められた値との差分を計算する計算工程と、前記計算工程で得られた差分値を所定時間積分する積分工程と、前記積分工程で得られた値と予め定められた値とを比較する比較工程と、前記比較工程の結果により、前記貯留部へコンクトナー貯蔵部に貯蔵された液体キャリアもしくは前記キャリア液貯蔵部に貯蔵されたキャリア液を供給する液体濃度調整工程と、を有するものである。